(57)【要約】【課題】短期間で施工でき、水周り空間を仕切ることに適した仕切壁及び仕切壁の施工方法を実現する。【解決手段】床面１０に複数のブロック材２１を固定してなる布基礎２０と、布基礎２０上に組み付けられた壁本体３０と、布基礎２０の側面から床面１０に亘って貼付された防水シート４０を備えている仕切壁１００であれば、布基礎２０上に壁本体３０を組み付けた構造を有しているので、仕切壁１００が水周り空間に設けられている場合でも、壁本体３０は濡れ難くなっており、壁本体３０が腐食してしまうトラブルを低減することができ、特に、複数のブロック材２１を床面１０に固定して布基礎２０を造ることにより、生コンクリートで布基礎を造る場合に比べて短期間で仕切壁１００を施工することを可能にした。【選択図】図１
2015014098.tif 000002
【特許請求の範囲】
【請求項１】
床面に複数のブロック材を固定してなる布基礎と、
前記布基礎上に組み付けられた壁本体と、
前記布基礎の側面から前記床面に亘って貼付された防水シートと、
を備えたことを特徴とする仕切壁。
【請求項２】
前記ブロック材は、ＡＬＣ製ブロック又は軽量コンクリート製ブロックであることを特徴とする請求項１に記載の仕切壁。
【請求項３】
前記壁本体は、前記布基礎上に建てられた軽量鉄骨の壁下地と、前記壁下地の両面に取り付けられた板材とを有することを特徴とする請求項１又は２に記載の仕切壁。
【請求項４】
前記防水シートは、前記布基礎の側面上端まで貼付されており、
前記布基礎と前記壁本体との境に沿って延在し、前記防水シートの上縁側に重ねて配された押え部材と、
前記押え部材を前記布基礎に固定する固定部材と、
を備えたことを特徴とする請求項１〜３の何れか一項に記載の仕切壁。
【請求項５】
床面に複数のブロック材を固定する工程と、
前記ブロック材上に壁本体を組み付ける工程と、
前記ブロック材の側面から前記床面に亘って防水シートを貼付する工程と、
を備えたことを特徴とする仕切壁の施工方法。
【請求項６】
前記防水シートは前記複数のブロック材の側面上端まで貼付されており、
前記複数のブロック材と前記壁本体との境に沿って延在する押え部材を前記防水シートの上縁側に重ねて配し、その押え部材を前記ブロック材に固定する工程を備えたことを特徴とする請求項５に記載の仕切壁の施工方法。
【発明の詳細な説明】
【技術分野】
【０００１】
本発明は、短期間で水周り空間を仕切ることに適した仕切壁及び仕切壁の施工方法に関する。
【背景技術】
【０００２】
従来、建物内を用途などに応じて幾つかのスペースに分割するために、仕切壁が設けられている。
例えば、駅舎などの公共施設における公衆トイレには男性側と女性側とを仕切るために仕切壁が設けられている。公衆トイレなどの水周り空間を仕切る仕切壁には土台部分に布基礎が用いられていることが多く、濡れ易い床面から離間した布基礎上に、例えばランナーやスタッド等で構成されるＬＧＳ（ライトゲージスタッド）を建てて壁本体を形成している。
そして、公衆トイレなど水周り空間の間取りを変更するために、既存の仕切壁を撤去して新たな仕切壁を施工する場合には、新たな仕切壁の位置に布基礎を造ることになる。
布基礎は、例えば特許文献１のように、型枠を組み立て、その型枠内にコンクリートを流し込み、コンクリートを養生硬化させた後、型枠を解体する作業などを要して造られる。布基礎の施工においては、特にコンクリートの養生に時間が掛かるため、その布基礎上に壁本体を形成して仕切壁を完成させるまでの工期は長くなってしまう。
【０００３】
しかし、仕切壁の改修に長い工期を要する場合、例えば公衆トイレの使用を長期間制限しなければならないなど、施設利用者に不便をかけてしまうことになるという課題がある。
そこで、仕切壁の工期短縮を図るため、例えば、図５に示すように、床面１０にランナー３１ａを取り付け、床面１０に直接建てたＬＧＳの壁下地３１に板材３２を張って壁本体３０を形成し、その壁本体３０から床面１０に亘って防水シート４０を貼り付けてなる簡易仕切壁２００を構築する施工を行うことがある。
【先行技術文献】
【特許文献】
【０００４】
【特許文献１】特開平８−１１３９５０号公報
【発明の概要】
【発明が解決しようとする課題】
【０００５】
しかしながら、図５に示した簡易仕切壁２００における防水シート４０に亀裂が生じてしまった場合に、その亀裂から水が浸み込み、金属製のＬＧＳが錆びるなどして壁本体３０が腐食してしまうという問題があった。
【０００６】
本発明の目的は、短期間で施工でき、水周り空間を仕切ることに適した仕切壁及び仕切壁の施工方法を提供することである。
【課題を解決するための手段】
【０００７】
上記目的を達成するため、本出願に係る仕切壁は、
床面に複数のブロック材を固定してなる布基礎と、
前記布基礎上に組み付けられた壁本体と、
前記布基礎の側面から前記床面に亘って貼付された防水シートと、
を備えるようにした。
かかる構成によれば、仕切壁は、布基礎上に壁本体を組み付けた構造を有し、また、布基礎の側面から床面に亘って防水シートが貼付されているため、仕切壁が水周り空間に設けられている場合でも、布基礎および壁本体は濡れ難くなる。
つまり、この仕切壁は、壁本体が濡れて腐食してしまうトラブルを低減することができるので、水周り空間を仕切ることに適した仕切壁として各種施設に施工することができる。
特に、布基礎は、複数のブロック材を床面に固定することで造ることができるので、生コンクリートで布基礎を造る場合に比べて短期間で仕切壁を施工することができる。
【０００８】
また、望ましくは、
前記ブロック材は、ＡＬＣ製ブロック又は軽量コンクリート製ブロックであるようにした。
ブロック材が、比較的軽いＡＬＣ製ブロック又は軽量コンクリート製ブロックであれば、施工作業者が容易に持ち運べる重さのブロック材にサイズ調整し易い。施工作業者がブロック材を持ち運べることができれば、そのような複数のブロック材を繋ぎ合わせて、所望する範囲を仕切るための布基礎を容易に造ることができるので、クレーンなどの重機を必要とせず、仕切壁を施工する際の作業性の向上を図ることができる。
【０００９】
また、望ましくは、
前記壁本体は、前記布基礎上に建てられた軽量鉄骨（ＬＧＳ）の壁下地と、前記壁下地の両面に取り付けられた板材とを有するようにした。
これにより、布基礎上に建てた軽量鉄骨の壁下地の両面に板材を取り付けることで壁本体を造ることができるので、短期間で仕切壁を施工することが可能になる。
また、仕切壁の用途や機能に応じた板材を選択して用いることができるので、様々な仕切壁を施工することができる。
【００１０】
また、望ましくは、
前記防水シートは、前記布基礎の側面上端まで貼付されており、
前記布基礎と前記壁本体との境に沿って延在し、前記防水シートの上縁側に重ねて配された押え部材と、
前記押え部材を前記布基礎に固定する固定部材と、
を備えるようにした。
これにより、防水シートの上縁を布基礎に固定することができ、防水シートが布基礎の側面から剥がれ難くなる。
【００１１】
また、上記目的を達成するため、本出願に係る仕切壁の施工方法は、
床面に複数のブロック材を固定する工程と、
前記ブロック材上に壁本体を組み付ける工程と、
前記ブロック材の側面から前記床面に亘って防水シートを貼付する工程と、
を備えるようにした。
ここで、床面に固定した複数のブロック材を仕切壁の布基礎とすることができる。
従って、仕切壁の布基礎は、複数のブロック材を床面に固定することで造ることができるので、生コンクリートで布基礎を造る場合に比べて短期間で仕切壁を施工することができる。また、布基礎上に建てた軽量鉄骨の壁下地の両面に板材を取り付けることで壁本体を造ることができるので、短期間で仕切壁を施工することが可能になる。
そして、仕切壁は、布基礎上に壁本体を組み付けた構造を有し、また、布基礎の側面から床面に亘って防水シートが貼付されているため、仕切壁が水周り空間に設けられている場合でも、布基礎および壁本体は濡れ難くなる。
つまり、この施工方法で造った仕切壁は、壁本体が濡れて腐食してしまうトラブルを低減することができるので、水周り空間を仕切ることに適した仕切壁として各種施設で用いることができる。
【００１２】
また、望ましくは、
前記防水シートは前記複数のブロック材の側面上端まで貼付されており、
前記複数のブロック材と前記壁本体との境に沿って延在する押え部材を前記防水シートの上縁側に重ねて配し、その押え部材を前記ブロック材に固定する工程を備えるようにした。
このように防水シートの上縁を布基礎に固定することで、防水シートが布基礎の側面から剥がれ難くすることができる。
【発明の効果】
【００１３】
本発明によれば、短期間で施工でき、水周り空間を仕切ることに適した仕切壁及び仕切壁の施工方法を得ることができる。
【図面の簡単な説明】
【００１４】
【図１】仕切壁を一部破断視して示す斜視図である。
【図２】仕切壁を示す断面図である。
【図３】仕切壁の変形例を示す断面図である。
【図４】仕切壁の変形例を示す断面図である。
【図５】従来の簡易仕切壁を示す断面図である。
【発明を実施するための形態】
【００１５】
以下、図面を参照して、本発明に係る仕切壁及び仕切壁の施工方法の実施形態について詳細に説明する。
【００１６】
図１は仕切壁を一部破断視して示す斜視図であり、図２は断面図である。
図１、図２に示すように、仕切壁１００は、床面１０に複数のブロック材２１を固定してなる布基礎２０と、布基礎２０上に組み付けられた壁本体３０と、布基礎２０の側面から床面１０に亘って貼付された防水シート４０等を備えている。
【００１７】
ブロック材２１は、ＡＬＣ（Autoclaved Lightweight aerated Concrete）製ブロック又は軽量コンクリート製ブロックであり、その内部には鉄筋が配設されている。
ブロック材２１のサイズは、例えば、厚さ約１０ｃｍ、高さ２０〜３０ｃｍ、長さ６０〜１００ｃｍであり、仕切壁１００を造る範囲に応じて長さが調整された複数のブロック材２１を繋ぎ合わせて、所望する長さの布基礎２０を造ることができる。なお、ブロック材２１は、作業者が一人または二人で持ち運べる重さのサイズに調整されていることが好ましい。
このブロック材２１には、ブロック材２１を床面１０に固定するためのボルト２が挿通される貫通孔２１ａが形成されている。
【００１８】
壁本体３０は、布基礎２０上に建てられた軽量鉄骨（ＬＧＳ）の壁下地３１と、壁下地３１を挟むように、壁下地３１の両面に取り付けられた板材３２とを有している。
壁下地３１は、例えば、ランナー３１ａ、スタッド３１ｂ、振れ止め（図示省略）等で構成される周知の軽量鉄骨壁下地である。
【００１９】
板材３２は、例えば、石膏ボードや耐水合板であり、壁下地３１にねじ留めされて取り付けられている。また、仕切壁１００の用途に応じて、防音パネルや防火パネルなどを板材３２として用いてもよい。
【００２０】
防水シート４０は、例えば、加硫ゴム製のシート材や、エチレンプロピレンゴム製のシート材であり、布基礎２０の側面および床面１０に接着剤によって貼り付けられている。
【００２１】
次に、本発明に係る仕切壁１００の施工方法について説明する。
まず、ブロック材２１の貫通孔２１ａに対応させて、床面１０の所定位置に穴を開け、アンカー１の下端部を埋設する。
次いで、アンカー１の上端を露出させた状態で床面１０にモルタルを塗設して、敷きモルタル５を設けた後、アンカー１に貫通孔２１ａを位置合わせしてブロック材２１を敷きモルタル５上に載置する。
【００２２】
次いで、ブロック材２１上に壁下地３１のランナー３１ａを載置し、そのランナー３１ａに形成されている取付孔を通じてボルト２を貫通孔２１ａに挿通し、そのボルト２をアンカー１に螺合させ、ブロック材２１を床面１０に固定する。ボルト２によって床面１０に固定されたブロック材２１が布基礎２０になる。
なお、ボルト２とランナー３１ａの間にはワッシャー３が介装されており、ボルト２でブロック材２１を床面１０に固定する際に、そのボルト２によってランナー３１ａをブロック材２１（布基礎２０）に取り付けている。
【００２３】
次いで、布基礎２０上に固定されたランナー３１ａにスタッド３１ｂを取り付けるとともに、スタッド３１ｂ上にランナー３１ａを取り付けるなどして、布基礎２０上に壁下地３１を組み付ける。なお、スタッド３１ｂ上のランナー３１ａは、例えば天井に固定されるようになっている。
次いで、壁下地３１の両面に、下部にコの字型をしたチャンネル７が配設されている板材３２をねじ留めして取り付ける。
【００２４】
次いで、布基礎２０の一方の側面および床面１０に接着剤を塗布し、布基礎２０の側面から床面１０に亘り防水シート４０を貼付する。
また、布基礎２０の他方の側面を覆うようにモルタルを塗設して、モルタル塗面６を設ける。
なお、布基礎２０の側面と床面１０が交わる隅部にシーリング材４を充填することで、隅部で防水シート４０が布基礎２０の側面や床面１０から浮いた状態にならないようにしている。
また、布基礎２０と壁本体３０との境に沿って延在し、板材３２の下縁に沿う押え部材８を防水シート４０の上縁側に重ねて配設し、その押え部材８を固定部材であるねじ９によって布基礎２０に固定することで、防水シート４０が布基礎２０の側面から剥がれないようにしている。
【００２５】
このような手順によって仕切壁１００を施工することができる。
なお、上記した施工手順では、壁下地３１に板材３２を取り付けた後、防水シート４０の貼付とモルタル塗面６の形成を行ったが、防水シート４０の貼付とモルタル塗面６の形成を行った後に、壁下地３１に板材３２を取り付けてもよい。また、防水シート４０を貼付する工程と、モルタル塗面６を塗設する工程の順は問わない。
【００２６】
また、こうして施工した仕切壁１００の一端は、例えば建物内の壁面などに突き立てられている。仕切壁１００と建物の壁面が突き合わされて繋がれた箇所においては、防水シート４０がその壁面に載り上がるようにカットするとともに、その壁面と仕切壁１００の布基礎２０とが交わるコーナー部において、防水シート４０の一部がオーバーラップするように接合する。更にその接合部分を加熱融着することで、防水シート４０の隙間から壁面に水が浸み込まないようにすることができる。
【００２７】
以上のように、本発明に係る仕切壁１００は、布基礎２０上に壁本体３０を組み付けた構造を有し、また、布基礎２０の側面から床面１０に亘って防水シート４０が貼付されているため、仕切壁１００が水周り空間に設けられている場合でも、布基礎２０および壁本体３０は濡れ難くなっている。
そして、仕切壁１００は、従来技術の簡易仕切壁２００で問題となった、濡れた壁本体３０が腐食してしまうトラブルを低減することができるので、水周り空間を仕切ることに適した仕切壁として各種施設に施工することができる。
【００２８】
特に、布基礎２０は、複数のブロック材２１を床面１０にボルト２で固定して造ることができるので、生コンクリートで布基礎を造る場合に比べて短期間で仕切壁１００を施工することができる。
また、ブロック材２１は、比較的軽いＡＬＣ製ブロック又は軽量コンクリート製ブロックであるので、施工現場で取り扱い易い大きさであって作業者が持ち運べるサイズのブロック材２１に調整しやすい。そのようなサイズに形成したブロック材２１を複数繋ぎ合わせて、所望する範囲を仕切るための布基礎２０を造ることができるので、クレーンなどの重機を必要とせず、仕切壁１００を施工する際の作業性の向上を図ることができる。
【００２９】
なお、本発明は上記実施形態に限られるものではない。
仕切壁１００は上記のように、防水シート４０を布基礎２０の一方の側面に貼付することに限らず、例えば、図３に示すように、布基礎２０の両方の側面に防水シート４０を貼付した構成としてもよい。
図３に示す構成の仕切壁１００であれば、仕切壁１００の両側に水飛沫が掛かるような水周り空間でも好適に間仕切りすることができる。
【００３０】
また、ゴム製のシート材のような単層構造の防水シート４０を用いることに限らず、例えばアスファルト防水シートのような多層構造の防水シート５０を用いてもよい。なお、アスファルト防水シートは、例えば、合成繊維不織布の層に改質アスファルトの層が積層されている周知の防水シートである。
そして、例えば、図４に示すように、布基礎２０の一方の側面から床面１０に亘って防水シート５０を貼付した後、防水シート５０上にモルタルを塗設してモルタル下地６０を設け、そのモルタル下地６０および板材３２上にタイル張り７０を施した仕切壁１００であってもよい。
床面１０から壁本体３０までタイル張り７０を施した仕切壁１００であれば、布基礎２０よりも高い位置に水飛沫が掛かるような水周り空間でも好適に間仕切りすることができる。
なお、布基礎２０の両方の側面に防水シート５０を貼付するとともに仕切壁の両面にタイル張り７０を施すようにしてもよい。
【００３１】
なお、以上の実施の形態においては、平面視した際に「一」字形状を呈する仕切壁を例に説明したが、本発明はこれに限定されるものではなく、平面視した際にＬ字形状を呈する仕切壁や、Ｔ字形状を呈する仕切壁にも本発明を適用することができる。
平面視した際にＬ字形状やＴ字形状を呈する仕切壁の場合、仕切壁が直交する部分における布基礎２０のコーナー部（角部、隅部）に防水シート４０（５０）を貼付する際、床面１０からコーナー部の布基礎２０の側面に亘って防水シート４０（５０）を貼付するとともに、布基礎２０において直交する２つの側面に貼付される防水シート４０（５０）の一部をコーナー部で互いにオーバーラップさせることで、防水シート４０（５０）による防水性を維持することができる。
また、その他、具体的な細部構造等についても適宜に変更可能であることは勿論である。
【符号の説明】
【００３２】
１０    床面
２０    布基礎
２１    ブロック材
３０    壁本体
３１    壁下地
３１ａ  ランナー
３１ｂ  スタッド
３２    板材
４０    防水シート
５０    防水シート
７０    タイル張り
８      押え部材
９      ねじ（固定部材）
１００  仕切壁
【図１】
2015014098.tif 000003
【図２】
2015014098.tif 000004
【図３】
2015014098.tif 000005
【図４】
2015014098.tif 000006
【図５】
2015014098.tif 000007